(57)【要約】【課題】  本発明はダクトの大きさや形状が異なってもブラシやウエスの交換を必要とせず、ダクトの大小に対応可能であること、又ブラシだけでなくウエス等をも取り付けることができ、ダクト内の清掃のみならず、ＲＩ施設等におけるダクト内の除染をも可能とする清掃除染装置を提供することを課題とする。【解決手段】  ダクト３内の高速気流を利用した清掃除染装置であって、前記清掃除染装置Ａは、筒状フレーム１と、該筒状フレーム１と同心の内筒５と、前記筒状フレーム１と内筒５間に円周上等間隔で設置された複数個のフィン２と、前記筒状フレーム１の外周面上に一定の間隔を以て取り付けられた長尺のブラシ又はウエス４又は４’と、前記内筒５の中心部に設けたシャフトガイド装置７と、該シャフトガイド装置７に挿通された針金シャフト８からなっている。そして針金シャフト８の先端にロープ１０を連結し、ロープ１０を引っ張ることによってダクト３内で前記清掃除染装置Ａを移動可能にした。【選択図】      図１
2005144396.tif 000002
【特許請求の範囲】
【請求項１】
ダクト内の高速気流を利用した清掃除染装置であって、
前記清掃除染装置は、筒状フレームと、該筒状フレームと同心の内筒と、
前記筒状フレームと内筒間に円周上等間隔で設置された複数個のフィンと、
前記筒状フレームの外周面上に一定の間隔を以て取り付けられた長尺のブラシ又はウエスと、
前記内筒の中心部に設けたシャフトガイド装置と、
該シャフトガイド装置に挿通された針金シャフトからなることを特徴とする
ダクトの清掃除染装置。
【請求項２】
前記針金シャフトの先端にロープを連結し、ロープを引っ張ることによってダクト内で前記清掃除染装置を移動可能にした請求項１記載のダクトの清掃除染装置。
【請求項３】
ダクト内の高速気流を利用した清掃・除染装置であって、
前記清掃・除染装置は筒状フレーム、該筒状フレームの外周に等間隔で設置した複数個のフィンと、
前記筒状フレームの外周にあって、前記フィンより気流の下流側の外周面上に一定の間隔を置いて取り付けた長尺のブラシ又はウエスと、
前記筒状フレームの気流の流出側端部に設けられた櫛刃状突部間に筒状フレームと同心に設けたインナーコーンと、
前記筒状フレームの気流の流入側に設けたシャフトガイド装置と、
該シャフトガイド装置に挿通された針金シャフトからなることを特徴とするダクトの清掃除染装置。
【請求項４】
前記針金シャフトの先端にロープを連結し、ロープを引っ張ることによってダクト内で前記清掃除染装置を移動可能にした請求項３記載のダクトの清掃除染装置。
【請求項５】
釣竿状のロッドと手動又は電動リールを用いて前記ロープ引張操作を可能にした請求項２又は請求項４記載のダクトの清掃除染装置。
【発明の詳細な説明】
【技術分野】
【０００１】
本発明は、原子力発電所、ＲＩ施設等の除染を要する施設や病院、研究施設での院内感染を防止するため完全な清掃を行う必要がある場合及び、一般の建屋、工場等のダクト清掃・除染に適用するフィン型ダクト清掃装置に関するものである。さらに詳しくいえば、ダクト内の高速の気流を利用して装置の内面又は外面に取付けたフィンを気流により高速で回転させることにより、装置に取り付けたウエスやブラシをダクト内面に接触回転させることにより清掃・除染するダクト清掃除染装置に関するものである。
【背景技術】
【０００２】
ダクト内の高速気流を利用して清掃装置に取り付けたフィンを気流により、高速で回転させることにより、装置に取り付けたブラシ等をダクト内面に接触させて清掃する清掃除染装置は公知である。
【０００３】
たとえば、送風機の吸引作用が及ぶ輸送ダクト内に、スパッタの燃えかすやヒュームの堆積を防止する装置であって、旋回流を発生させる旋回流発生手段と、この旋回流発生手段に固定したフレキシブルな紐体を設け、このフレキシブルな紐体を旋回流により回転させることで、ダクト内への堆積物の付着を防止するもの（特許文献１参照。）がしられている。
【０００４】
また、集塵用ブロアーの吸引作用が及ぶダクト管の内部を、清掃ブラシを用いて清掃する装置であって、清掃ブラシは、筒状体の外側面にブラシを植毛したもので、ブラシ内部にはねじれ羽根を取り付けている。このねじれ羽根がダクト内の気流により回転し、その回転により管内を清掃する構成である。清掃ブラシとしては、ワイヤー等の紐体を使用し、回転自在に連結されている。この紐体には、そのねじれを防ぐため、回転制止羽根を取り付けているものもしられている（特許文献２参照。）。
【０００５】
（従来技術の問題点）
これら特許文献１及び２に記載のものは、（１）ブラシを回転させること、（２）ダクト内の高速流体流で羽根を回転させてブラシを回すことを要件としている。しかし、ブラシ回転型にあっては、ブラシの直径が一定のため、ダクトの径に応じてブラシをその都度交換しなければならない。又高速流体を利用して回転羽根を回す方式にあっては、ダクトの大きさや形状が異なると対して対応しにくいこと、ブラシの外にウエス等を取り付けることができないという欠点があった。
【特許文献１】特開平１１−４９３６０号
【特許文献２】特願平１１−１９２４６２号公報
【発明の開示】
【発明が解決しようとする課題】
【０００６】
本発明はダクトの大きさや形状が異なってもブラシやウエスの交換を必要とせず、ダクトの大小に対応可能であること、又ブラシだけでなくウエス等をも取り付けることができ、ダクト内の清掃のみならず、ＲＩ施設等におけるダクト内の除染をも可能とする清掃除染装置を提供することを課題とする。
【課題を解決するための手段】
【０００７】
（１）ダクト内の高速気流を利用した清掃除染装置であって、
前記清掃除染装置は、筒状フレームと、該筒状フレームと同心の内筒と、
前記筒状フレームと内筒間に円周上等間隔で設置された複数個のフィンと、
前記筒状フレームの外周面上に一定の間隔を以て取り付けられた長尺のブラシ又はウエスと、
前記内筒の中心部に設けたシャフトガイド装置と、
該シャフトガイド装置に挿通された針金シャフトからなることを特徴とする。
（２）前記針金シャフトの先端にロープを連結し、ロープを引っ張ることによってダクト内で前記清掃除染装置を移動可能にした。
（３）ダクト内の高速気流を利用した清掃・除染装置であって、
前記清掃・除染装置は筒状フレーム、該筒状フレームの外周に等間隔で設置した複数個のフィンと、
前記筒状フレームの外周にあって、前記フィンより気流の下流側の外周面上に一定の間隔を置いて取り付けた長尺のブラシ又はウエスと、
前記筒状フレームの気流の流出側端部に設けられた櫛刃状突部間に筒状フレームと同心に設けたインナーコーンと、
前記筒状フレームの気流の流入側に設けたシャフトガイド装置と、
該シャフトガイド装置に挿通された針金シャフトからなることを特徴とする。
（４）前記針金シャフトの先端にロープを連結し、ロープを引っ張ることによってダクト内で前記清掃除染装置を移動可能にした。
（５）釣竿状のロッドと手動又は電動リールを用いて前記ロープ引張操作を可能にした。
【発明の効果】
【０００８】
本発明は、既設設備の換気ファンの高速の風を利用するので、電気、圧縮空気等の動力源は、必要としない。また、設備に集じんフィルターがあれば、清掃用の集塵機も必要ない。
【０００９】
一般のダクトは、１系統でも、ダクトの口径が違ったり、曲がりや、上下方向に変化したりと、多種多様である。本装置を挿入できる口径のダクトであれば、１つのタイプの装置であっても清掃除染が可能で、ダクト長さの制約もないものである。
【００１０】
ダクトを乱打したりしないので、粉塵や汚染をダクト外に漏洩させることなく、除染することができる。また、ウエス（化学雑巾）で、拭取るので、従来のブラシ方式に比べ除染・清掃効果をより高くすることができる。
【００１１】
除染後のウエスを汚染検査することにより、除染と汚染検査が同時にでき、効果的である。
【００１２】
釣竿状のロッドと手動もしくは電動リールを用いることにより、高所にあるダクトでも足場を組み立てることなく、少人数で安全作業することができる。
【発明を実施するための最良の形態】
【００１３】
本発明は、ダクト内の清掃除染をするための装置であって、ダクト内を高速で流れる気流を利用してダクト内で、清掃除染装置を高速で回転させ、ダクトの直径の大小あるいはダクトの断面形状違い（丸や角等）にかかわらず、清掃・除染ができる清掃除染装置である。
【００１４】
（実施形態その１）
以下、図１〜図４に基づいて説明する。本発明に係る清掃除染装置Ａは大径のフィン取付フレーム（以下、単にフレームという）１と、フレーム１の内面に一体に設けたフィン２を備え、ダクト３内を流れる気流により回転し、その回転により、フレーム１の外周に取り付けた長尺のウエス４又はブラシ４’を回転させ、ダクト内面を清掃除染する。図３と図４の拡大詳細図で明らかなように、実施形態１における清掃除染装置Ａはフレーム１の内側にフィン２が円周上に複数設けられている。この型式を後程のべる外フィン型に対し内フィン型と称することにする。
【００１５】
フレーム１は流れａ（図１）の方向に向って直径が大きくなる切頭円錐形の筒状体で、この内面にフィン２が複数個円周上に等配設置されている。
【００１６】
フィン２の内側端は小径の内筒５の外周面に一体に取付られている。内筒５はその両端に十字形をしたシャフトガイド部６が一体に成形され、この中心位置にシャフトガイド管が取付られている。
【００１７】
図１に示すようにフレーム１の外周面上に一定間隔を以て長尺のウエス４又はブラシ４’が接着等により固着されている。
【００１８】
内筒５の両端部中心に設けたシャフトガイド管７に針金シャフト８が通され、この針金シャフト８はその端に例えばシーベルジョイント９を介し長尺のロープ１０に連結されていて、このロープを引張ることによって清掃除染装置を移動できる。
【００１９】
以上の構成であって、ダクト３内を流れる（図１では図の左から右に向かって流れる）気流ａがフィン２に当たると、これと一体のフレーム１が高速回転する。この回転による遠心力でウエス４又はブラシ４’をダクト３の内面に回転しながら押し付け、ダクト内面を清掃除染する。この際フレーム１は針金シャフト８のまわりに抵抗なく自由に回転することができる。
【００２０】
（実施形態２）
次に図５〜図９を参照して外フィン型の清掃除染Ａ’について説明する。この装置においては、フィン１２はフレーム１１の外周面に取付けられている。
【００２１】
円筒状のフレーム１１の外周面には、複数個のフィン１２が円周上に等角度で配設されている。フレーム１１の一端（気流が流入する側）は図６に示す如き十字形をしたシャフトガイド部１３が一体に設けられ、この中心位置にシャフトガイド管１４が設けられる。
【００２２】
フレーム１１の他端（気流が流出する側）には円周方向櫛刃状に切欠かれた突部１５が設けられ、この部分にインナーコーン１６が取付けられる。
【００２３】
これら櫛刃状突部１５の内側に取付けた円錐形をしたインナーコーン１６の頂点はフレーム１１の中心線上にあり、この頂点は前記シャフトガイド部１３より下流側に隔てられている。
【００２４】
前記インナーコーン１６と隣接する櫛刃状突部１５と１５との間からは気流が流出し、インナーコーン１６に沿って斜め方向に流出する。
【００２５】
以上の構成であって、ダクト３内を矢印ａ方向（図６）に流れる気流がフィン１２に当ると、これと一体のフレーム１１が高速回転し、この回転による遠心力で図６の如く長尺のウエス４又はブラシ４’をダクト３の内面で回転しながらダクトに押し付け、その結果ダクト内壁を清掃除染する。この際フレーム１１は図９のごとく針金シャフト１７とシャフトガイド部のシャフトガイド管１４で支持されているので、フレーム１１は自由に回転する。
【００２６】
なお、実施形態１又は実施形態２の清掃除染装置Ａ又はＡ’において、針金シャフト８又は同じく針金シャフト１７と接続されているロープ１０は図１０と示すように釣竿状のロッド１８と手動又は電動リール１９を使用することでダクト３の開口部の下から挿入し、足場等を組むことなく、ロッド１８を伸ばしてリール１９でロープ１０を送って遠隔操作で清掃作業を行うことができる。
【００２７】
一般のダクト清掃除染作業は、図１０のように下流側のダクト３の口径の小さいところから清掃除染治具Ａ（Ａ’）を挿入し、各コーナー部を経て、上流側の大きな口径のダクトに清掃除染しながら送られる。清掃除染によりダクト内部に付着した粉塵は下流側にある既設の換気ファン２０に吸引される前に清掃除染作業用のフィルタ２１で濾過回収される。
【００２８】
以上の説明においては、清掃除染装置ＡまたはＡ’は、断面円形のダクト３の清掃除染について説明したが、図１１のように異口径のダクトにも、あるいは図１２のごとく角形ダクトへの適用も可能である。即ち、長尺のウエス又はブラシ４，４’がその可撓性により遠心力により広がるため、ダクト３の口径に合わせてウエス又はブラシ４，４’も外側に広がり、１種類のウエス又はブラシで、ある程度のダクト口径の大小変化に対応できる。図１２の角型ダクトでは、ダクトの狭い四隅部までウエス又はブラシ４，４’の先端が広がって届くので、清掃除染ができる。
【図面の簡単な説明】
【００２９】
【図１】内フィン型ダクト清掃除染治具。
【図２】図１の左側面図。
【図３】清掃除染治具のフィン取付部の詳細図。
【図４】図３のＸ矢視正面図。
【図５】外フィン型ダクト清掃除染治具。
【図６】図５のＡ−Ａ断面図。
【図７】外フィン型清掃除染治具の側面図。
【図８】図７のＹ矢視正面図。
【図９】外フィン型清掃除染治具の斜視図。
【図１０】ダクト清掃作業概念図。
【図１１】異口径ダクトへの対応概念図。
【図１２】角形ダクトへの対応概念図。
【符号の説明】
【００３０】
Ａ（Ａ’）  清掃除染装置
１  フィン取付フレーム（フレーム）  ２  フィン
３  ダクト                          ４  ウエス
4'  ブラシ                          ５  内筒
６  シャフトガイド部                ７  シャフトガイド管
８  針金シャフト                    ９  シーベルジョイント
10  ロープ                          11  （実施形態２の）フレーム
12  フィン                          13  シャフトガイド部
14  シャフトガイド管                15  櫛刃状突部
16  インナーコーン                  17  針金シャフト
18  ロッド                          19  リール
【図１】
2005144396.tif 000003
【図２】
2005144396.tif 000004
【図３】
2005144396.tif 000005
【図４】
2005144396.tif 000006
【図５】
2005144396.tif 000007
【図６】
2005144396.tif 000008
【図７】
2005144396.tif 000009
【図８】
2005144396.tif 000010
【図９】
2005144396.tif 000011
【図１０】
2005144396.tif 000012
【図１１】
2005144396.tif 000013
【図１２】
2005144396.tif 000014